(57)【要約】【課題】ガラス透過部を有した乗りかごを使用しても、誤検出をすることなく暴れ検知または滞留検知を行えるようにした乗りかご内挙動検出装置を提供する。【解決手段】乗りかご１のドア３が閉じたときにドア閉検出信号を出力するドア閉検出部７と、ドア閉検出部７によりドア閉検出信号を受けたとき乗りかご１内を撮影した画像データからガラス透過部２よりも手前側の被写体画像データを抽出する画像入力部６と、画像入力部６が抽出した所定時間内の前記被写体画像データから差分画像データを生成する挙動画像作成部８と、被写体画像データと前記差分画像データとの比較から暴れ検知と滞留検知とを判別する挙動検知部９と、挙動検知部９が暴れ検知または滞留検知の少なくとも一方を検知したときに報知する報知部１０とを設けた。【選択図】図１
2015178405.tif 000002
【特許請求の範囲】
【請求項１】
ガラス透過部を有したエレベータの乗りかご内にカメラを設置し、前記カメラの画像データを使用して乗客の暴れや滞留を検出する乗りかご内挙動検出装置において、
前記乗りかごのドアが閉じたときにドア閉検出信号を出力するドア閉検出手段と、前記ドア閉検出手段によりドア閉検出信号を受けたとき前記乗りかご内を撮影した画像データから前記ガラス透過部よりも手前側の被写体画像データを抽出する画像入力手段と、前記画像入力手段が抽出した所定時間内の前記被写体画像データから差分画像データを生成する挙動画像作成手段と、前記被写体画像データと前記差分画像データとの比較から暴れ検知と滞留検知とを判別する挙動検知手段と、前記挙動検知手段が暴れ検知または滞留検知の少なくとも一方を検知したときに報知する報知手段とを設けたことを特徴とする乗りかご内挙動検出装置。
【請求項２】
前記カメラとしてステレオカメラを用いたことを特徴とする請求項１に記載の乗りかご内挙動検出装置。
【発明の詳細な説明】
【技術分野】
【０００１】
本発明は、エレベータ乗りかご内の人物の暴れや倒れ等の異常行動を検出するための乗りかご内挙動検出装置に関する。
【背景技術】
【０００２】
エレベータ乗りかご内の人物の暴れや倒れ等を検出する乗りかご内挙動検出装置として、乗りかご内に設置された防犯カメラからの映像の１コマ１コマの差分を抽出し、一定の時間の差分が大きい場合は暴れ行動と判定し、乗りかご内の人物に対し自動で注意喚起を行ったり、一定の時間、乗りかご内の人物の動き成分が少ない場合は倒れ状態と判定し、ドアを開けたりブザーで乗りかご外に危険を伝えることが知られている。しかし、防犯カメラの付近に背の高い人物が居ると、背の高い人物によって防犯カメラの映像に死角が生まれ、死角の先の状態を検出できない他に、防犯カメラに近くなることで、多少の動きであっても大きな差分を抽出してしまうことから、挙動検出装置の検出漏れや誤検出に繋がってしまう。この問題を解決するために、乗りかご内に、複数の防犯カメラを、視野が重なるように設置し、これら複数の防犯カメラの映像から、任意の視点での仮想映像を生成し、防犯カメラの死角をなくしたかご内映像監視装置が提案されている（特許文献１参照）。
【先行技術文献】
【特許文献】
【０００３】
【特許文献１】特開２００５−１５０９４号公報
【発明の概要】
【発明が解決しようとする課題】
【０００４】
しかしながら、従来の乗りかご内挙動検出装置によれば、乗りかご内を任意の視点で監視して防犯カメラの死角をなくすことができるが、ドアにガラス窓が付いているエレベータ乗りかごや、乗りかごの側面や背面がガラス状となっている展望用エレベータ等では、ガラス透過部を通して外部の変化を動き成分として検出するため、外部の変化が大きい場合には異常と判断し、誤検出が発生してしまう。
【０００５】
本発明の目的は、ガラス透過部を有した乗りかごを使用しても、誤検出をすることなく暴れ検知または滞留検知を行えるようにした乗りかご内挙動検出装置を提供することにある。
【課題を解決するための手段】
【０００６】
本発明は上記目的を達成するために、ガラス透過部を有するエレベータの乗りかご内にカメラを設置し、前記カメラの画像データを使用して乗客の暴れや滞留を検出する乗りかご内挙動検出装置において、前記乗りかごのドアが閉じたときにドア閉検出信号を出力するドア閉検出手段と、前記ドア閉検出手段によりドア閉検出信号を受けたとき前記乗りかご内を撮影した画像データからガラス透過部よりも手前側の被写体画像データを抽出する画像入力手段と、前記画像入力手段が抽出した所定時間内の前記被写体画像データから差分画像データを生成する挙動画像作成手段と、前記被写体画像データと前記差分画像データとの比較から暴れ検知と滞留検知とを判別する挙動検知手段と、前記挙動検知手段が暴れ検知または滞留検知の少なくとも一方を検知したときに報知する報知手段とを設けたことを特徴とする。
【０００７】
上述の構成によれば、ガラス透過部を有した乗りかごを使用しても、ガラス透過部よりも乗り場側における被写体や、景色の変化などの影響を容易に除くことができ、また乗りかごのドアが閉じた状態での画像データを使用して誤検出の要因を除去し、乗りかごの外部での大きな変化による誤検出を防止して精度の高い暴れ検知または滞留検知を行うことができる。
【０００８】
また本発明は、上述の構成に加えて、前記カメラとしてステレオカメラを用いたことを特徴とする。
【０００９】
上記の構成によれば、一台のステレオカメラを使用した簡単な構成で、乗りかごのドアに設けたガラス透過部よりも乗り場側における被写体や、景色の変化などの影響を容易に除くことができ、また乗りかごのドアが閉じた状態での画像データを使用して誤検出の要因を除去し、乗りかごの外部での大きな変化による誤検出を防止して精度の高い暴れ検知または滞留検知を行うことができる。
【発明の効果】
【００１０】
本発明による乗りかご内挙動検出装置によれば、ガラス透過部を有する乗りかごにおいても、ガラス透過部よりも乗り場側における被写体や、景色の変化などの影響を容易に除くことができ、そうした外部での大きな変化による誤検出を防止して精度の高い暴れ検知または滞留検知を行うことができる。
【図面の簡単な説明】
【００１１】
【図１】本発明の一実施の形態による乗りかご内挙動検出装置の概略構成図である。
【図２】図１に示した乗りかご内挙動検出装置の動作を示すフローチャートである。
【発明を実施するための形態】
【００１２】
以下、本発明の実施の形態を図面に基づいて説明する。
【００１３】
図１は、本発明の一実施の形態による乗りかご内挙動検出装置の概略構成図である。
【００１４】
エレベータの乗りかご１には、ガラス窓などのガラス透過部２が付いたドア３が取り付けられており、乗りかご１内には防犯用のステレオカメラ４が設置されている。ここでステレオカメラ４は、ドア３を撮影する側の位置に配置されて乗りかご１内の撮影を行っている。図示を省略しているが、乗り場にも同様の乗り湯ドアが設置されている。
【００１５】
ステレオカメラ４により撮影した場合、画像データから予め設定した距離内の画像データのみを抽出してかご内画像データを作成することができる。この特徴を生かして、ステレオカメラ４は撮影した画像データからガラス透過部２よりも手前側の画像データを抽出して新たなかご内画像データを作成し、この新たなかご内画像データを挙動検出装置５の画像入力手段６に出力するようにしている。
【００１６】
画像入力手段６は、新たなかご内画像データを使用することになるため、ガラス透過部２よりもさらに遠方、つまりガラス透過部２よりも乗り場側における被写体や、外部の景色の変化の影響を除くことができる。また画像入力部６は、所定時間毎にステレオカメラ４から入力された新たなかご内画像データを取り込んでいるが、新たなかご内画像データのうちドア閉検出部７からドア閉検出信号が入力されているときのものだけを使用し、そこに被写体が存在するかどうかを判定し、被写体が存在する場合は、それを被写体画像データとして挙動画像作成部８に出力する。
【００１７】
挙動画像作成部８は、画像入力部６から受け取った複数の被写体画像データを使用して被写体の動きに対応する被写体差分画像データを作成する。このとき、被写体に動きがあれば被写体差分画像データは生成され、被写体に動きが無ければ被写体作動画像データは生成されない。被写体差分画像データが生成された場合、被写体画像データと被写体差分画像データとを挙動検知部９に出力する。
【００１８】
挙動検知部９は、挙動画像作成部８から入力された被写体画像データと被写体差分画像データとを比較して暴れに対応するかどうかを判定する。例えば、両データの大きさを比較し、被写体差分画像データの大きさが被写体画像データの大きさに対し、３０％以上なら、暴れ検知と判定し報知部１０に暴れ検知信号を出力する。
【００１９】
一方、挙動検知部９は、被写体差分画像データに大きさがあるものの被写体差分画像データが所定時間を超えても余り被写体が動かない場合、滞留検知と判定する。例えば、１０分を越えても、被写体差分画像データが所定の大きさが被写体画像データの大きさに対して５％未満の場合、乗りかご１から降車せずに被写体が移動せず、乗りかご内に滞留していると判断し、滞留検知と判定し報知部１０に滞留検知信号を出力する。
【００２０】
報知部１０は、挙動検知部９から暴れ検知信号を受け取ったとき警報音を発生させ、図示しないエレベータの制御装置に信号を出力し、乗りかごを最寄り階に停止させドア３を開き、暴れている乗客の存在を報知することができる。一方、挙動検知部９から滞留検知信号を受信したとき報知部１０は、警報音を発生させ、同様にエレベータを最寄り階に停止させてドア３を開き、滞留者の存在を報知することができる。
【００２１】
次に、図２に示したフローチャートを用いて、上述した挙動検出装置の処理動作を説明する。
【００２２】
挙動検出装置５の画像入力部６は、手順Ｓ１で、ドア閉検出部７からドア３のドア閉検出信号の有無を監視する。ドア閉検出信号の入力が無い場合、つまり乗りかご１のドア３が開いている状態では、手順Ｓ１の監視を継続する。一方、ドア閉検出信号の入力が有って乗りかご１のドア３が閉じられた場合、手順Ｓ２において、ステレオカメラ４からの新たな画像データを取り込み、ステレオカメラ４からガラス透過部２までの距離内の新たな画像データ内に被写体が存在しているかどうかを判定する。
【００２３】
この判定の結果、新たな画像データ内に被写体が存在しなければ処理を終了する。しかし、手順Ｓ２での判定の結果、新たな画像データ内に被写体が存在すれば、被写体画像データとして挙動画像作成部８に出力する。これを受けた挙動画像作成部８は、手順３において、画像入力部６から入力された被写体画像データの差分画像である被写体差分画像データを作成し、被写体画像データと被写体差分画像データを挙動検知部９に出力する。
【００２４】
手順Ｓ４において挙動検知部９は、挙動画像作成部８から入力された被写体画像データと被写体差分画像データを所定の閾値を用いて２値化して、２値化した画像部分の面積を比較し、その差の大きさが所定の割合、例えば３０％以上の場合、暴れ検知と判定し報知部１０に暴れ検知信号を出力する。
【００２５】
暴れ検知信号を受信した報知部１０は、手順Ｓ５において、暴れ検知の警報を鳴動し、エレベータの制御装置に信号を出力し処理を終了する。
【００２６】
これに対して挙動検知部９は、手順Ｓ４の判定で、被写体画像データと被写体差分画像データとの２値化した画像部分の面積を比較して所定の割合、例えば、３０％未満の場合、手順Ｓ６に進む。手順Ｓ６において、２値化した画像部分の面積を比較し所定の割合、例えば５％未満かどうかを判定する。その結果、所定の割合、例えば５％以上の場合、手順１から繰返し実施する。しかし、２値化した画像部分の面積を比較し所定の割合、例えば、５％未満の場合、手順７でタイマーをカウントアップする。
【００２７】
次に、挙動検知部９は、手順８において、タイマーが所定の時限をカウントしたかどうか判定する。例えば１０分をカウントアップしたかどうかを判定し、所定の時間を経過していない場合、確認のために手順１から処理を繰返し実施する。これに対して、手順Ｓ８の判定の結果、所定の時間を経過していた場合、滞留検知と判定し報知部１０に滞留検知信号を出力する。
【００２８】
滞留検知信号を受信した報知部１０は、手順Ｓ９において、滞留検知の警報を鳴動し、エレベータの制御装置に信号を出力して処理を終了する。
【００２９】
尚、本発明は、挙動検知部９における暴れ検知または滞留検知として上述した実施の形態で説明した方法に限定するものではない。また、乗りかご１内に設置したカメラとしてステレオカメラ４を使用しているが、単眼の防犯カメラを複数台を乗りかごに設置する構成としても良い。
【００３０】
上述した本発明による乗りかご内挙動検出装置５は、ガラス透過部２を有したエレベータの乗りかご１内にカメラ４を設置し、カメラ４の画像データを使用して乗客の暴れや滞留を検出する乗りかご内挙動検出装置において、乗りかご１のドア３が閉じたときにドア閉検出信号を出力するドア閉検出部７と、ドア閉検出部７によりドア閉検出信号を受けたとき乗りかご１内を撮影した画像データからガラス透過部２よりも手前側の被写体画像データを抽出する画像入力部６と、画像入力部６が抽出した所定時間内の前記被写体画像データから差分画像データを生成する挙動画像作成部８と、被写体画像データと前記差分画像データとの比較から暴れ検知と滞留検知とを判別する挙動検知部９と、挙動検知部９が暴れ検知または滞留検知の少なくとも一方を検知したときに報知する報知部１０とを設けたことを特徴とする。
【００３１】
上述の構成によれば、ガラス透過部２を有した乗りかご１においても、ガラス透過部２よりも乗り場側における被写体や、景色の変化などの影響を容易に除くことができ、また乗りかご１のドア３が閉じた状態での画像データを使用して誤検出の要因を除去し、乗りかご１の外部での大きな変化による誤検出を防止して精度の高い暴れ検知または滞留検知を行うことができる。
【００３２】
また本発明は、上述の構成に加えて、前記カメラとしてステレオカメラ４を用いたことを特徴とする。
【００３３】
上記の構成によれば、一台のステレオカメラ４を使用した簡単な構成で、乗りかご１のガラス透過部２よりも乗り場側における被写体や、景色の変化などの影響を容易に除くことができ、乗りかご１の外部での大きな変化による誤検出を防止して精度の高い暴れ検知または滞留検知を行うことができる。
【符号の説明】
【００３４】
１    乗りかご
２    ガラス透過部
３    ドア
４    ステレオカメラ
５    挙動検知装置
６    画像入力部
７    ドア閉検出部
８    挙動画像作成部
９    挙動検知部
１０  報知部
【図１】
2015178405.tif 000003
【図２】
2015178405.tif 000004